(57)【要約】【課題】  地球でできる磁気の光子は上昇するのに、どうして下に向く力になるのか。Ｆｅの磁石がＣｏやＮｉを引くのはどうしてか。【解決手段】  磁気の光子が１０８個で、１つの輪になっている、この輪がコイル状になって進む。輪が同じ大きさで、反対方向に進む時、かみ合って進む。この事によって引く力ができる。コイルは光速で進むので、大きな近寄る力となる。これが引力である。ＦｅとＣｏとＮｉの特性Ｘ線の波長はほぼ同じです。それで、ＦｅとＣｏとＮｉから放出する磁気の光子の輪の大きさはほぼ同じです。磁気の光子の輪が同じで、反対方向に回転しながら進む時、磁気の光子の輪はかみ合いながら進むので、引く力ができる。【選択図】図１
2006211898.tif 000002
【特許請求の範囲】
【請求項１】
引力のメカニズムについて。
引力は磁気の光子の軌道エネルギーである。
磁気の光子は１０８個で１つの輪になっている。
磁気の光子の輪はコイル状に回転しながら進む。
磁気の光子の回転方向は同じである。
これらの磁気の光子は反対方向から進んでくるので、衝突すると、軌道が同じで、進む方向が反対なので、かみ合って進む。
磁気の光子はコイル状に進むので、２重コイルのように重なり合って、反対方向に進む。かみ合って進む事により結合力ができる。この結合力が引力です。
更に、磁気の光子の凹凸によって、まるで歯車のようにかみ合うので、結びつきは強くなる。
光速でかみ合うので、引力は大きくなる。
かみ合って結びつくものが多い程、結びつく力は大きくなる。
結びつくものは磁気の光子である。異なる電荷の場合は電気の光子である。
結びつくものは、磁気の光子と磁気の光子、磁気の光子の輪と磁気の光子の輪、磁気の光子の回転コイルと磁気の光子の回転コイルです。
異なる電荷の場合は、結びつくものは、電気の光子と電気の光子、電気の光子の輪と電気の光子の輪、電気の光子の回転コイルと電気の光子の回転コイルです。
【請求項２】
１Ａと１Ａの導線が１ｍ離れている場合。
１Ａの導線から、放出する磁気の光子１個の軌道は、０．９５５４×１０−１６ｍで、これが１０８個で１つの輪になっている。輪の軌道は０．９５５４×１０−８ｍです。
磁気の光子の輪は一定方向に回転しながら進むので、コイル状に進む。
１Ａと１Ａの導線が１ｍ離れているの場合。
これらの磁気の光子は反対方向から進んでくるので、衝突すると、軌道が同じで、進む方向が反対であるため、かみ合って進む。磁気の光子はまるで２重コイルのように重なり合って（かみ合って）進む。かみ合って進む事によって結合力ができる。この結合力が引力である。
１Ａの導線には、１秒間に１．６７７×１０１８個の自由電子が走る。１個の自由電子は１秒間に１０２４個の磁気の光子を作る。１個の磁気の光子の軌道エネルギーは７．６４３×１０−５４Ｊｍです。
１０８個の磁気の光子で１つの輪の磁気の光子になっている。
１つの輪の磁気の光子の軌道エネルギーは、７．６４３×１０−５４Ｊｍ×１０８個＝７．６４３×１０−４６Ｊｍです。
１つの輪の磁気の光子と１つの輪の磁気の光子がかみ合って結合するので、この結合の軌道エネルギーは、（７．６４３×１０−４６Ｊｍ）２＝５．８４１５×１０−９１Ｊｍです。
１Ａで、１秒間にできる磁気の光子の輪の数は、１個の自由電子は１秒間に１０１６個の磁気の光子の輪を作るので、１．６７７×１０１８個×１０１６個＝１．６７７×１０３４個の輪です。
１Ａと１Ａでできる磁気の光子の輪の数は、（１．６７７×１０３４個の輪）２＝２．８１２×１０６８個の輪です。
それで、１Ａと１Ａ、１秒でできる結合エネルギーは、（１．６７７×１０３４個の輪）２×（７．６４３×１０−４６Ｊｍ）２＝１．６４３×１０−２２Ｊｍです。
１Ａと１Ａ、１秒間にできる結合エネルギー＝引力は、１．６４３×１０−２２Ｊｍです。
この事から、電流によってできる引力の単位は、（７．６４３×１０−４６Ｊｍ）２＝５．８４２×１０−９１Ｊｍであることが理解できる。
【請求項３】
１クーロンと１クーロンが１ｍ離れているときの引力について。
１クーロンは１Ａで、１秒間のエネルギーです。軌道（波長）は、０．９５５４×１０−８ｍで、１回転の電気の光子のエネルギーは、８×１０−３０Ｊです。それで、１個の電気の軌道エネルギーは、０．９５５４×１０−８ｍ×８×１０−３０Ｊ＝７．６４３×１０−３８Ｊｍです。
１個の電気の輪と１個の電気の輪によってできる軌道エネルギーは、（７．６４３×１０−３８）２Ｊｍ＝５．８４×１０−７５Ｊｍです。
１電子が１秒間に作る電気の光子は１０１６回転ですから、１０１６個の輪です。
１Ａ・１秒間では１．６７７×１０１８個の電子が走っていますから、電気の光子の輪の数は、１．６７７×１０１８個×１０１６個の輪＝１．６７７×１０３４個の輪です。
１クーロンと１クーロンで、１秒間にできる電気の光子の輪の数は、（１．６７７×１０３４個の輪）２＝２．８１２×１０６８個の輪です。
それで、結合エネルギーは、５．８４×１０−７５Ｊｍ×２．１８×１０６８個の輪＝１．６４×１０−６Ｊｍです。
１クーロンと１クーロンが１ｍ離れているときの引力は１．６４×１０−６Ｊｍです。
このことから、異なる電荷の場合、電気の光子でできる引力の単位は、（７．６４３×１０−３８Ｊｍ）２＝５．８４２×１０−７５Ｊｍであることが理解できる。
【請求項４】
物体と物体に働く引力について。
ＡＫｇの物質から磁気の光子が輪になって放出する。
ＢＫｇの物質から磁気の光子が輪になって放出する。
電気の光子の輪はまるでコイルのように回転しながら進む。同じ方向に回転しながら進む。
Ａの物質から放出する磁気の光子のコイルと、Ｂの物質から放出する磁気の光子のコイルが衝突する。衝突した磁気の光子のコイルは、かみ合いながら反対方向に進む。その結果、２重コイルのようになる。磁気の光子のコイルが、かみ合い進むので、結合エネルギーができる。この磁気の光子の結合エネルギーが引力です。
物質から放出する磁気の光子１個の軌道エネルギーは、１０−５５Ｊｍで、１つの輪の磁気の光子の軌道エネルギーは１０−５５Ｊｍ×１０８個＝１０−４７Ｊｍです。
磁気の光子の輪１個と磁気の光子の輪１個でできる引力は（１０−４７Ｊｍ）２＝１０−９４Ｊｍです。
１個の電子から１秒間に放出する磁気の光子の輪は１０１６個ですから、その磁気の光子の軌道エネルギーは、１０−４７Ｊｍ×１０１６個の輪＝１０−３１Ｊｍです。
万有引力定数は、特願２００６−６４８４１の１１番に記したように、
万有引力定数＝６．６７×１０−１１Ｎｍ２＝６．６７×１０−１１Ｊｍ＝（８．１７×１０−６Ｊｍ）２＝（１０−３１Ｊｍ×８．１７×１０２５個）２です。
Ａｋｇの物質から１秒間に放出する磁気の光子の輪の数は、Ａｋｇの電子の数×１電子から１秒間に放出する磁気の光子の輪の数＝Ａ×８．１７×１０２５個×１０１６個の輪＝Ａ×８．１７×１０４１個の輪です。
それで、ＡＫｇの物質とＢＫｇの物質の引力は、Ａ×Ｂ×（８．１７×１０４１個の輪）２×（１０−４７Ｊｍ）２＝Ａ×Ｂ×（８．１７×１０４１個の輪×１０−４７Ｊｍ）２＝Ａ×Ｂ×６．６７×１０−１１Ｊｍです。
このことから、物体と物体の場合、磁気の光子でできる引力の単位は、（１０−４７Ｊｍ）２＝１０−９４Ｊｍである事が理解できる。
【請求項５】
地球と物体でできる引力について。
▲１▼地球からたくさんの磁気の光子が放出します。磁気の光子は上に上昇するのに、どうして重力は下の方向に働くのか。
もし、物体が無かったら、引く力は存在しません。物体があるから、地球から上昇する磁気の光子は下に下げる力になります。どうして物体があると、地球から上昇する磁気の光子は下に下げる力になるのか。
物体から放出する磁気の光子は下に向きます。回転しながら下に向くので、まるで下に回転しながら進むコイルのようです。
地球から放出する磁気の光子は上に向きます。回転しながら上に向くので、まるで上に回転しながら進むコイルのようです。
このコイルの回転方向は同じです。進む方向が反対なので、下向きのコイルと、上向きのコイルは回転し、かみ合いながら、反対方向に進みます。コイルとコイルがかみ合う事によって、新しい力ができます。それが結合力です。結合力は引力です。
それで、物体から放出する磁気の光子の輪が多いと、それとかみ合う地球から放出する磁気の光子の輪も多くなります。
よって、重力は、物体の質量に比例する。
▲２▼Ａｋｇの物体と地球の重力はどのようになっているか。
１電子のラブから、１秒間に磁気の光子の輪（１０８個の磁気の光子が１つの輪になっている。）は１０１６個です。
１０８個を１本の磁気の光子のコイルとします。１電子のラブから、１秒間に１０８本の磁気の光子のコイルができます。
１本のコイルの磁気の光子の軌道エネルギーは、１０−３１Ｊｍ÷１０８＝１０−３９Ｊｍです。
１本のコイルと１本のコイルが重なり合うと、その軌道エネルギーは、（１０−３９Ｊｍ）２＝１０−７８Ｊｍです。
ＡＫｇの物体から、Ａ×８．１７×１０２５×１０８本＝Ａ×８．１７×１０３３本の磁気の光子のコイルができます。
地球から、４．８８×１０５０×１０８本＝４．８８×１０５８本の磁気の光子のコイルができます。
磁気の光子のコイルの本数は、Ａ×８．１７×１０３３本×４．８８×１０５８本≒Ａ×４×１０９２本です。
このコイルが重なり合うと、その磁気の光子の軌道エネルギーは、１０−７８Ｊｍ×Ａ×４×１０９２本＝Ａ×４×１０１４Ｊｍです。
これを、地球の半径の２乗でわると、Ａ×４×１０１４Ｊｍ÷（６．３７８×１０６ｍ）２＝９．８×Ａ  Ｊｍです。
この事から、地球と物体の場合、磁気の光子でできる引力の単位は（１０−３９Ｊｍ）２＝１０−７８Ｊｍであることが理解できる。
【請求項６】
原子の中の引力について。
原子の中の引力はどのようにできるか、３つの場合が考えられる。
▲１▼原子の中の電子の−と陽子の＋の異なる電荷によって引力ができると考える場合。
原子の中で、電子のラブは、１．２５×１０−１０ｍの電子の光子の輪を作る。陽子のラブは、０．６２５×１０−１３ｍの電子の光子の輪を作る。陽子のラブが作った電気の光子の輪は軌道を拡大する。
２０００分の１のエネルギーの場にきたら、軌道は２０００倍になる。０．６２５×１０−１３ｍ×２０００＝１．２５×１０−１０ｍに成る。電子のラブが作った電気の光子と同じ大きさになり、結合し、引力になる。
電子のラブが作る電気の光子の輪の軌道エネルギーは、１０−３９Ｊｍです。
陽子のラブが作る電気の光子の輪の軌道エネルギーは、０．６２５×１０−１３ｍ×８×１０−３０Ｊ＝５×１０４３Ｊｍです。
この引力の単位は、１０−３９Ｊｍ×５×１０−４３Ｊｍ＝５×１０−８２Ｊｍです。
１秒間にできる電気の光子の輪の数は、（１０１６個）２＝１０３２個ですから、
原子の中の、陽子と電子が１秒間に作る電気の光子の引力は、５×１０−８２Ｊｍ×１０３２個＝５×１０−５０Ｊｍです。
▲２▼原子の中の引力が磁気の光子によってできると考える場合。
原子の中では、電子が作る磁気の光子と、陽子が作る磁気の光子が、衝突する。磁気の光子の回転は同じ方向に回転している。
しかし、進む方向が反対方向なので、磁気の光子は回転しながら、かみ合いながら進む。
この磁気の光子の結合力が引力です。
電子のラブは１秒間に１０２４回自転し、１０２４個の磁気の光子を作る。そのエネルギーは８×１０−１４Ｊです。１個の磁気の光子のエネルギーは８×１０−３８Ｊです。１個の磁気の光子の軌道は１．２５×１０−１８ｍです。
陽子のラブは１秒間に１０２４回自転し、１０２４個の磁気の光子を作る。そのエネルギーは８×１０−１４Ｊです。１個の磁気の光子のエネルギーは８×１０−３８Ｊです。１個の磁気の光子の軌道は１．２５×１０−１８ｍ÷２０００＝０．６２５×１０−２１ｍです。
この陽子のラブから放出した磁気の光子と、電子のラブから放出した磁気の光子が衝突すると、電子のラブが作った磁気の光子の軌道の中を、陽子のラブが作った磁気の光子が進みます。電子のラブが作った磁気の光子の１．２５×１０−１８ｍのコイルの中を、陽子のラブが作った磁気の光子が０．６２５×１０−２１ｍのコイルで進みます。
この結合力で引力ができます。
電子のラブが作る磁気の光子１個の軌道エネルギーは、１．２５×１０−１８ｍ×８×１０−３８Ｊ＝１０−５５Ｊｍです。
陽子のラブが作る磁気の光子１個の軌道エネルギーは、０．６２５×１０−２１ｍ×８×１０−３８Ｊ＝５×１０−５９Ｊｍです。
電子のラブでできる磁気の光子１個と、陽子のラブでできる磁気の光子１個でできる引力は、１０−５５Ｊｍ×５×１０−５９Ｊｍ＝５×１０−１１４Ｊｍです。
電子のラブと陽子のラブは１秒間に１０２４個の磁気の光子を作りますから、１秒間にできる磁気の光子の数は、（１０２４個）２＝１０４８個です。
それで、１秒間にできる引力は、５×１０−１１４Ｊｍ×１０４８個＝５×１０６６Ｊｍです。
▲３▼原子の中の引力が電気の光子によってできると考える場合。
電子のラブが作る電気の光子の軌道は１．２５×１０−１０ｍで、１個の電気の光子のエネルギーは８×１０−３０Ｊですから、１個の電気の光子の軌道エネルギーは、１．２５×１０−１０ｍ×８×１０−３０Ｊ＝１０−３９Ｊｍです。
陽子のラブが作る電気の光子の軌道は１．２５×１０−１０ｍ÷２０００＝０．６２５×１０−１３ｍで、１個の電気の光子のエネルギーは８×１０−３０Ｊですから、１個の電気の光子の軌道エネルギーは、０．６２５×１０−１３ｍ×８×１０−３０Ｊ＝５×１０−４３Ｊｍです。
電子のラブが作る電気の光子１個と陽子のラブが作る電気の光子１個でできる引力は、１０−３９Ｊｍ×５×１０−４３Ｊｍ＝５×１０−８２Ｊｍです。
１秒間にできる電気の光子の輪の数は、（１０１６個）２＝１０３２個の輪です。
それで、１秒間にできる引力は、５×１０−８２Ｊｍ×１０３２個の輪＝５×１０−５０Ｊｍです。
【請求項７】
ＦｅがＣｏやＮｉを引くメカニズムについて。
金属元素の１番外殻の軌道は、１番波長の長い特性Ｘ線によって知る事ができる。
ＡｌはＫ系で、０．８３３９×１０−９ｍです。Ａｌの最外殻はＭ５ｐですからもっと大きい。
ＦｅはＬ系αで、１．７６０２×１０−９ｍです。Ｆｅの最外殻はＮ４ｓですからもっと大きい。
ＣｏはＬ系αで、１．６×１０−９ｍです。Ｃｏの最外殻はＮ４ｓですからもっと大きい。
ＮｉはＬ系αで、１．４５９５×１０−９ｍです。Ｎｉの最外殻はＮ４ｓですからもっと大きい。
ＡｕはＭ系αで、０．５８４×１０−９ｍです。Ａｕの最外殻はＯ６ｓですからもっと大きい。
Ｆｅは、Ｍ系の電子のラブがＬ系に移動する時、１．７６０２×１０−９ｍの波長の電気の光子を放出する。
それで、Ｆｅの殻から放出する電気の光子の波長を、１．７６０２×１０−９ｍとする。
Ｃｏの殻から放出する電子のラブの波長を、１．６×１０−９ｍとする。
Ｎｉの殻から放出する電子のラブの波長を、１．４５９５×１０−９ｍとする。
Ａｌの殻から放出する電子のラブの波長を、０．８３３９×１０−９ｍとする。
Ａｕの殻から放出する電子のラブの波長を、０．５８４×１０−９ｍとする。
Ｆｅの殻から放出する電子のラブの波長を、１．７６０２×１０−９ｍとすると、磁気の光子の軌道は、１．７６０２×１０−９ｍ÷１０８＝１．７６０２×１０−１７ｍです。この磁気の光子が１０８個で、１．７６０２×１０−９ｍの輪になります。１電子から、１秒間に、この磁気の光子の輪が１０１６個コイルになり放出します。
Ｃｏの殻から放出する電子のラブの波長を、１．６×１０−９ｍとすると、磁気の光子の軌道は、１．６×１０−９ｍ÷１０８＝１．６×１０−１７ｍです。この磁気の光子が１０８個で、１．６×１０−９ｍの輪になります。１電子から、１秒間に、この磁気の光子の輪が１０１６個コイルになり放出します。
Ｎｉの殻から放出する電子のラブの波長を、１．４５９５×１０−９ｍとすると、磁気の光子の軌道は、１．４５９５×１０−９ｍ÷１０８＝１．４５９５×１０−１７ｍです。この磁気の光子が１０８個で、１．４５９５×１０−９ｍの輪になります。１電子から、１秒間に、この磁気の光子の輪が１０１６個コイルになり放出します。
Ｆｅの金属と、Ｃｏの金属があります。
Ｆｅの金属から１．７６０２×１０−１７ｍの磁気の光子が１０８個で、１．７６０２×１０−９ｍの輪になっているコイルが回転しながら進みます。
Ｃｏの金属から１．６×１０−１７ｍの磁気の光子が１０８個で、１．６×１０−９ｍの輪になっているコイルが回転しながら進みます。
これらの磁気の光子が衝突すると、コイルの大きさがほぼ同じであるから、コイルはかみ合いながら２重コイルになって、反対方向に進みます。この結合力が引力になります。
Ｆｅの金属と、Ｎｉの金属があります。
Ｆｅの金属から１．７６０２×１０−１７ｍの磁気の光子が１０８個で、１．７６０２×１０−９ｍの輪になっているコイルが回転しながら進みます。
Ｎｉの金属から１．４５９５×１０−１７ｍの磁気の光子が１０８個で、１．４５９５×１０−９ｍの輪になっているコイルが回転しながら進みます。
これらの磁気の光子が衝突すると、コイルの大きさがほぼ同じであるから、コイルはかみ合いながら２重コイルになって、反対方向に進みます。この結合力が引力になります。
Ｆｅの金属と、Ａｌの金属と、Ａｕの金属の場合。
Ｆｅの金属から１．７６０２×１０−１７ｍの磁気の光子が１０８個で、１．７６０２×１０−９ｍの輪になっているコイルが回転しながら進みます。
Ａｌの金属から、０．８３３９×１０−１７ｍの磁気の光子が１０８個で、０．８３３９×１０−９ｍの輪に成っているコイルが回転しながら進みます。
Ａｕの金属から、０．５８４×１０−１７ｍの磁気の光子が１０８個で、０．５８４×１０−９ｍの輪に成っているコイルが回転しながら進みます。
この場合、コイルの大きさが異なるので、かみ合わないため、結合せず、結合力はできません。それで、引き合う事はできません。
【請求項８】
光電効果について。
電磁波は波であり、粒子である。この事は、電気の光子に粒子である磁気の光子がくっ付き、波のように進むことを示します。
金属板に強い電磁波を当てると電子が飛び出します。
金属板である金属元素の電子のラブの軌道よりエネルギーの高い電磁波を当てると、電子のラブは飛び出す、と考える。
例えば、Ａｌの電子のラブの軌道を０．８３３９×１０−９ｍとする。（実際は、Ａｌの最外殻はＭ３ｐですからもっと大きい。）
この軌道のエネルギーは、２．０３８２×１０−２０Ｎ×３．１４×軌道＝２．０３８２×１０−２０Ｎ×３．１４×０．８３３９×１０−９ｍ＝５．３３７×１０−２９Ｊです。（電子のラブの軌道エネルギーは、２．０３８２×１０−２０Ｎ×３．１４×１．２５×１０−１０ｍ＝８×１０−３０Ｊｍで、ラブのエネルギーを求める式は、２．０３８２×１０−２０Ｎ×３．１４×軌道です。）
これ以上のエネルギーの磁気の光子を照射すると、電子のラブは放出する。
電子のラブを放出するのは粒子である磁気の光子です。
電子のラブを放出するためには、電子のラブのエネルギーより大きな磁気の光子の輪のエネルギーを照射したらよい。
１つの輪である１０８個の磁気の光子のエネルギー＝１波長である電気の光子のエネルギー
１つの輪である１０８個の磁気の光子の軌道＝１波長である電気の光子の軌道
１つの輪である１０８個の磁気の光子の軌道×エネルギー＝１波長である電気の光子の軌道×エネルギー
照射する磁気の光子の輪のエネルギー＝１つの輪である１０８個の磁気の光子のエネルギー＝１波長である電気の光子のエネルギー＝７．６４３×１０−３８Ｊｍ÷波長
照射する電磁気の波長をｘｍとする。
照射する磁気の光子の輪のエネルギー＞電子のラブの軌道のエネルギー
７．６４３×１０−３８Ｊｍ÷波長＞２．０３８２×１０−２０Ｎ×３．１４×電子のラブの軌道
７．６４３×１０−３８Ｊｍ÷ｘｍ＞２．０３８２×１０−２０Ｎ×３．１４×電子のラブの軌道
ｘｍ＜７．６４３×１０−３８Ｊｍ÷（２．０３８２×１０−２０Ｎ×３．１４×電子のラブの軌道）
ｘｍ＜１．１９４×１０−１８ｍ２÷電子のラブの軌道
この式から、
電子のラブの軌道が、１０−９ｍの場合、照射する電磁波の波長は１．１９４×１０−９ｍより小さいと、電子のラブは放出する。
電子のラブの軌道が、１０−１０ｍの場合、照射する電磁波の波長は１．１９４×１０−８ｍより小さいと、電子のラブは放出する。
電子のラブの軌道が、１０−１１ｍの場合、照射する電磁波の波長は１．１９４×１０−７ｍより小さいと、電子のラブは放出する。
電子のラブの軌道が、１０−１２ｍの場合、照射する電磁波の波長は１．１９４×１０−６ｍより小さいと、電子のラブは放出する。
この事から、照射する電磁波によって、電子のラブの軌道が解る。
【請求項９】
磁気の光子１個の質量はいくらか。電気の光子１個の質量はいくらか。電子のラブの質量は電気の光子の質量の何倍か。電子のラブの質量は磁気の光子の質量の何倍か。
▲１▼磁気の光子１個の質量はいくらか。電気の光子１個の質量はいくらか。
１Ｋｇ＝８．９８７５５×１０１６Ｊです。１Ｊ＝１．１１２６５×１０−１７Ｋｇです。
電気の光子１個は、８×１０−３０Ｊですから、電気の光子１個の質量は、８×１０−３０Ｊ×１．１１２６５×１０−１７Ｋｇ＝８．９×１０−４７Ｋｇです。
磁気の光子１個は、８×１０−３８Ｊですから、磁気の光子１個の質量は、８×１０−３８Ｊ×１．１１２６５×１０−１７Ｋｇ＝８．９×１０−５５Ｋｇです。
▲２▼電子のラブの質量は電気の光子の質量の何倍か。電子のラブの質量は磁気の光子の質量の何倍か。
電子のラブの質量は、８×１０−１４Ｊ×１．１１２６５×１０−１７Ｋｇ＝９．１０９５×１０−３１Ｋｇですから、電子のラブの質量は電気の光子の質量の、９．１０９５×１０−３１Ｋｇ÷（８．９×１０−４７Ｋｇ）＝１．０２３５×１０１６倍です。
電子のラブの質量は磁気の光子の質量の、９．１０９５×１０−３１Ｋｇ÷（８．９×１０−５５Ｋｇ）＝１．０２３５×１０２４倍です。
【請求項１０】
１Ｖはいくらか。１Ｗはいくらか。
１Ｊ＝１ｃ×１Ｖｏ  １ｃ＝１．２７６×１０−３Ｊｍ
１Ｖ＝１Ｊ÷１ｃ＝１Ｊ÷（１．２７６×１０−３Ｊｍ）＝７．８３７×１０２／ｍ
１Ｗ＝１Ａ×１Ｖ      １Ａ＝１．３５×１０５Ｊですから、
１Ｗ＝１．３５×１０５Ｊ×７．８３７×１０２／ｍ＝１．０５×１０８Ｊ／ｍ＝１．０５×１０８Ｎ
１Ｗ＝１Ａ×１Ｖ      １Ａの１秒間の電気の光子の軌道エネルギーは＝１．２７６×１０−３Ｊｍですから、
１Ｗ＝１．２７６×１０−３Ｊｍ×７．８３７×１０２／ｍ＝１．０００００１２Ｊ
１Ｗ＝１Ｊ／ｓです。
これで、２００６年３月８日に提出した値が正しいと理解できた。
【請求項１１】
電磁気の電気の光子の１波長のエネルギーはいくらか。１秒間にできる電気の光子のエネルギーはいくらか。電気の光子のＷはいくらか。電磁気の１波長の磁気の光子のエネルギーはいくらか。１秒間にできる磁気の光子のエネルギーはいくらか。磁気の光子のＷはいくらか。
電磁気の電気の光子の場合。
電磁気の１波長＝電気の光子の１波長
電気の光子の波長×１波長の電気の光子のエネルギー＝７．６４３×１０−３８Ｊｍ
１波長の電気の光子のエネルギーは、７．６４３×１０−３８Ｊｍ÷波長  です。
１秒間にできる電気の光子のエネルギーは、振動数×１波長の電気の光子のエネルギー＝３×１０８ｍ÷波長×７．６４３×１０−３８Ｊｍ＝２．２９２９×１０−２９÷波長（Ｊ）です。
１Ｗ＝１Ｊ／ｓですから、電気の光子のＷは、１秒間にできる電気の光子のエネルギーです。それで、
１秒間にできる電気の光子のＷは、振動数×１波長のエネルギー＝３×１０８ｍ÷波長×７．６４３×１０−３８Ｊｍ＝２．２９２９×１０−２９÷波長（Ｗ）です。
電磁気の磁気の光子の場合。
電磁気の１波長は磁気の光子の軌道の１０８倍で、電気の光子の１波長と同じです。
電磁気の１波長＝１０８×磁気の光子の軌道
電磁気の１波長には、１０８個の磁気の光子の輪がありますから、電磁気の１波長の磁気の光子の軌道エネルギーは、７．６４３×１０−５４Ｊｍ×１０８×１０８個＝７．６４３×１０−３８Ｊｍです。
電磁気の１波長×電磁気の１波長の磁気の光子のエネルギー＝７．６４３×１０−３８Ｊｍ
電磁気の１波長の磁気の光子のエネルギー＝７．６４３×１０−３８Ｊｍ÷波長
１秒間にできる磁気の光子のエネルギーは、振動数×１波長の磁気の光子のエネルギー＝３×１０８ｍ÷波長×７．６４３×１０−３８Ｊｍ＝２．２９２９×１０−２９÷波長（Ｊ）です。
１Ｗ＝１Ｊ／ｓですから、磁気の光子のＷは、１秒間にできる磁気の光子のエネルギーです。それで、
１秒間にできる磁気の光子のＷは、振動数×１波長のエネルギー＝３×１０８ｍ÷波長×７．６４３×１０−３８Ｊｍ＝２．２９２９×１０−２９÷波長（Ｗ）です。
唯に、
１電磁波の電気の光子のエネルギーと磁気の光子のエネルギーは等しい。
１電磁波の波長は、電気の光子の波長であり、磁気の光子の波長の１０８倍です。
１電磁波の磁気の光子の軌道エネルギーは磁気の光子１個の軌道エネルギーの１０１６倍であり、７．６４３×１０−５４Ｊｍ×１０１６＝７．６４３×１０−３８Ｊｍです。
１電磁波の電気の光子の軌道エネルギーと磁気の光子の軌道エネルギーは等しい。
例えば、可視光は約１０−７ｍですから、
光子の力は、２．６６７×１０−２２Ｎです。
電磁気の１波長の電気の光子のエネルギーは、７．６４３×１０−３８Ｊｍ÷波長＝７．６４３×１０−３８Ｊｍ÷１０−７ｍ＝７．６４３×１０−３１Ｊです。
電磁気の１秒間にできる電気の光子のエネルギー＝電気の光子のＷ数＝２．２９２９×１０−２９÷１０−７＝２．２９２９×１０−２２（Ｊ又はＷ）です。
電磁気の１波長の磁気の光子のエネルギーは、７．６４３×１０−３８Ｊｍ÷波長＝７．６４３×１０−３８Ｊｍ÷１０−７ｍ＝７．６４３×１０−３１Ｊです。
電磁気の１秒間にできる磁気の光子のエネルギー＝磁気の光子のＷ数＝２．２９２９×１０−２９÷波長＝２．２９２９×１０−２９÷１０−７＝２．２９２９×１０−２２（Ｊ又はＷ）です。
【発明の詳細な説明】
【技術分野】
【０００１】この発明は引力のメカニズム、１Ａと１Ａでできる引力、１クーロンと１クーロンでできる引力、物体と物体でできる引力、地球と物体でできる引力、原子の中の引力、ＦｅがＣｏやＮｉを引くメカニズム、光電効果、光子の質量、１Ｖと１Ａ、１波長のエネルギーとＷ、に関する。
【背景技術】
【０００２】  引力は磁気の光子によってできる事は解る。磁気の光子の軌道エネルギーが引力になることは解る。ＦｅはＣｏやＮｉを引く事は解る。光電効果は磁気の光子の粒子によっておきる。
【発明の開示】
磁気の軌道エネルギーが引力になることは解ったが、それが、どのように引力になるのか解らない。地球の磁気の光子は上に上昇するのに、どうして、下に引く力になるのか。
Ｆｅの磁石はＣｏやＮｉを引く。これはどうしてか。ＦｅとＣｏとＮｉの特性Ｘ線はほぼ同じです。
この事から、軌道の同じ磁気の光子の輪が進む時コイルを作って進む。回転方向が同じコイルで、反対方向に進むので、コイルはかみ合う。かみ合って反対方向に光速で進むので、強い引く力ができる。これが引力です。
【発明が解決しようとする課題】
【０００３】１．引力のメカニズムについて。
２．１Ａと１Ａの導線が１ｍ離れているときの引力について。
３．１クーロンと１クーロンが１ｍ離れているときの引力について。
４．物体と物体に働く引力について。
５．地球と物体でできる引力について。
６．原子の中の引力について。
７．ＦｅがＣｏやＮｉを引くメカニズムについて。
８．光電効果について。
９．磁気の光子１個の質量はいくらか。電気の光子１個の質量はいくらか。電子のラブの質量は電気の光子の質量の何倍か。電子のラブの質量は磁気の光子の質量の何倍か。
１０．１Ｖはいくらか。１Ｗはいくらか。
１１．電磁気の電気の光子の１波長のエネルギーはいくらか。１秒間にできる電気の光子のエネルギーはいくらか。電気の光子のＷはいくらか。電磁気の１波長の磁気の光子のエネルギーはいくらか。１秒間にできる磁気の光子のエネルギーはいくらか。磁気の光子のＷはいくらか。
【発明を解決するための手段】
【０００４】  丸棒に針金を巻きつけ、コイルを２本作る。２本の針金を両手に持ち１つは右回転、他方は左回転させながら、進めていく。そうすると、コイルはかみ合いながら、２重コイルになって反対方向に進む。かみ合い、逆方向に光速で進むので、引く力になる。
【発明の実施態様】
【０００５】１．  引力のメカニズムについて。図１
引力は磁気の光子の軌道エネルギーである。
磁気の光子は１０８個で１つの輪になっている。
磁気の光子の輪はコイル状に回転しながら進む。
磁気の光子の回転方向は同じである。
これらの磁気の光子は反対方向から進んでくるので、衝突すると、軌道が同じで、進む方向が反対なので、かみ合って進む。
磁気の光子はコイル状に進むので、２重コイルのように重なり合って、反対方向に進む。かみ合って進む事により結合力ができる。この結合力が引力です。
更に、磁気の光子の凹凸によって、まるで歯車のようにかみ合うので、結びつきは強くなる。
光速でかみ合うので、引力は大きくなる。
かみ合って結びつくものが多い程、結びつく力は大きくなる。
結びつくものは磁気の光子である。異なる電荷の場合は電気の光子である。
結びつくものは、磁気の光子と磁気の光子、磁気の光子の輪と磁気の光子の輪、磁気の光子の回転コイルと磁気の光子の回転コイルです。
異なる電荷の場合は、結びつくものは、電気の光子と電気の光子、電気の光子の輪と電気の光子の輪、電気の光子の回転コイルと電気の光子の回転コイルです。
２．  １Ａと１Ａの導線が１ｍ離れている場合。図２
１Ａの導線から、放出する磁気の光子１個の軌道は、０．９５５４×１０−１６ｍで、これが１０８個で１つの輪になっている。輪の軌道は０．９５５４×１０−８ｍです。
磁気の光子の輪は一定方向に回転しながら進むので、コイル状に進む。
１Ａと１Ａの導線が１ｍ離れているの場合。
これらの磁気の光子は反対方向から進んでくるので、衝突すると、軌道が同じで、進む方向が反対であるため、かみ合って進む。磁気の光子はまるで２重コイルのように重なり合って（かみ合って）進む。かみ合って進む事によって結合力ができる。この結合力が引力である。
１Ａの導線には、１秒間に１．６７７×１０１８個の自由電子が走る。１個の自由電子は１秒間に１０２４個の磁気の光子を作る。１個の磁気の光子の軌道エネルギーは７．６４３×１０−５４Ｊｍです。
１０８個の磁気の光子で１つの輪の磁気の光子になっている。
１つの輪の磁気の光子の軌道エネルギーは、７．６４３×１０−５４Ｊｍ×１０８個＝７．６４３×１０−４６Ｊｍです。
１つの輪の磁気の光子と１つの輪の磁気の光子がかみ合って結合するので、この結合の軌道エネルギーは、（７．６４３×１０−４６Ｊｍ）２＝５．８４１５×１０−９１Ｊｍです。
１Ａで、１秒間にできる磁気の光子の輪の数は、１個の自由電子は１秒間に１０１６個の磁気の光子の輪を作るので、１．６７７×１０１８個×１０１６個＝１．６７７×１０３４個の輪です。
１Ａと１Ａでできる磁気の光子の輪の数は、（１．６７７×１０３４個の輪）２＝２．８１２×１０６８個の輪です。
それで、１Ａと１Ａ、１秒でできる結合エネルギーは、（１．６７７×１０３４個の輪）２×（７．６４３×１０−４６Ｊｍ）２＝１．６４３×１０−２２Ｊｍです。
１Ａと１Ａ、１秒間にできる結合エネルギー＝引力は、１．６４３×１０−２２Ｊｍです。
この事から、電流によってできる引力の単位は、（７．６４３×１０−４６Ｊｍ）２＝５．８４２×１０−９１Ｊｍであることが理解できる。
３．  １クーロンと１クーロンが１ｍ離れているときの引力について。図３
１クーロンは１Ａで、１秒間のエネルギーです。軌道（波長）は、０．９５５４×１０−８ｍで、１回転の電気の光子のエネルギーは、８×１０−３０Ｊです。それで、１個の電気の軌道エネルギーは、０．９５５４×１０−８ｍ×８×１０−３０Ｊ＝７．６４３×１０−３８Ｊｍです。
１個の電気の輪と１個の電気の輪によってできる軌道エネルギーは、（７．６４３×１０−３８）２Ｊｍ＝５．８４×１０−７５Ｊｍです。
１電子が１秒間に作る電気の光子は１０１６回転ですから、１０１６個の輪です。
１Ａ・１秒間では１．６７７×１０１８個の電子が走っていますから、電気の光子の輪の数は、１．６７７×１０１８個×１０１６個の輪＝１．６７７×１０３４個の輪です。
１クーロンと１クーロンで、１秒間にできる電気の光子の輪の数は、（１．６７７×１０３４個の輪）２＝２．８１２×１０６８個の輪です。
それで、結合エネルギーは、５．８４×１０−７５Ｊｍ×２．１８×１０６８個の輪＝１．６４×１０−６Ｊｍです。
１クーロンと１クーロンが１ｍ離れているときの引力は１．６４×１０−６Ｊｍです。
このことから、異なる電荷の場合、電気の光子でできる引力の単位は、（７．６４３×１０−３８Ｊｍ）２＝５．８４２×１０−７５Ｊｍであることが理解できる。
４．  物体と物体に働く引力について。図４
ＡＫｇの物質から磁気の光子が輪になって放出する。
ＢＫｇの物質から磁気の光子が輪になって放出する。
電気の光子の輪はまるでコイルのように回転しながら進む。同じ方向に回転しながら進む。
Ａの物質から放出する磁気の光子のコイルと、Ｂの物質から放出する磁気の光子のコイルが衝突する。衝突した磁気の光子のコイルは、かみ合いながら反対方向に進む。その結果、２重コイルのようになる。磁気の光子のコイルが、かみ合い進むので、結合エネルギーができる。この磁気の光子の結合エネルギーが引力です。
物質から放出する磁気の光子１個の軌道エネルギーは、１０−５５Ｊｍで、１つの輪の磁気の光子の軌道エネルギーは１０−５５Ｊｍ×１０８個＝１０−４７Ｊｍです。
磁気の光子の輪１個と磁気の光子の輪１個でできる引力は（１０−４７Ｊｍ）２＝１０−９４Ｊｍです。
１個の電子から１秒間に放出する磁気の光子の輪は１０１６個ですから、その磁気の光子の軌道エネルギーは、１０−４７Ｊｍ×１０１６個の輪＝１０−３１Ｊｍです。
万有引力定数は、特願２００６−６４８４１の１１番に記したように、
万有引力定数＝６．６７×１０−１１Ｎｍ２＝６．６７×１０−１１Ｊｍ＝（８．１７×１０−６Ｊｍ）２＝（１０−３１Ｊｍ×８．１７×１０２５個）２です。
Ａｋｇの物質から１秒間に放出する磁気の光子の輪の数は、Ａｋｇの電子の数×１電子から１秒間に放出する磁気の光子の輪の数＝Ａ×８．１７×１０２５個×１０１６個の輪＝Ａ×８．１７×１０４１個の輪です。
それで、ＡＫｇの物質とＢＫｇの物質の引力は、Ａ×Ｂ×（８．１７×１０４１個の輪）２×（１０−４７Ｊｍ）２＝Ａ×Ｂ×（８．１７×１０４１個の輪×１０−４７Ｊｍ）２＝Ａ×Ｂ×６．６７×１０−１１Ｊｍです。
このことから、物体と物体の場合、磁気の光子でできる引力の単位は、（１０−４７Ｊｍ）２＝１０−９４Ｊｍである事が理解できる。
５．  地球と物体でできる引力について。図５
▲１▼地球からたくさんの磁気の光子が放出します。磁気の光子は上に上昇するのに、どうして重力は下の方向に働くのか。
もし、物体が無かったら、引く力は存在しません。物体があるから、地球から上昇する磁気の光子は下に下げる力になります。どうして物体があると、地球から上昇する磁気の光子は下に下げる力になるのか。
物体から放出する磁気の光子は下に向きます。回転しながら下に向くので、まるで下に回転しながら進むコイルのようです。
地球から放出する磁気の光子は上に向きます。回転しながら上に向くので、まるで上に回転しながら進むコイルのようです。
このコイルの回転方向は同じです。進む方向が反対なので、下向きのコイルと、上向きのコイルは回転し、かみ合いながら、反対方向に進みます。コイルとコイルがかみ合う事によって、新しい力ができます。それが結合力です。結合力は引力です。
それで、物体から放出する磁気の光子の輪が多いと、それとかみ合う地球から放出する磁気の光子の輪も多くなります。
よって、重力は、物体の質量に比例する。
▲２▼Ａｋｇの物体と地球の重力はどのようになっているか。
１電子のラブから、１秒間に磁気の光子の輪（１０８個の磁気の光子が１つの輪になっている。）は１０１６個です。
１０８個を１本の磁気の光子のコイルとします。１電子のラブから、１秒間に１０８本の磁気の光子のコイルができます。
１本のコイルの磁気の光子の軌道エネルギーは、１０−３１Ｊｍ÷１０８＝１０−３９Ｊｍです。
１本のコイルと１本のコイルが重なり合うと、その軌道エネルギーは、（１０−３９Ｊｍ）２＝１０−７８Ｊｍです。
ＡＫｇの物体から、Ａ×８．１７×１０２５×１０８本＝Ａ×８．１７×１０３３本の磁気の光子のコイルができます。
地球から、４．８８×１０５０×１０８本＝４．８８×１０５８本の磁気の光子のコイルができます。
磁気の光子のコイルの本数は、Ａ×８．１７×１０３３本×４．８８×１０５８本≒Ａ×４×１０９２本です。
このコイルが重なり合うと、その磁気の光子の軌道エネルギーは、１０−７８Ｊｍ×Ａ×４×１０９２本＝Ａ×４×１０１４Ｊｍです。
これを、地球の半径の２乗でわると、Ａ×４×１０１４Ｊｍ÷（６．３７８×１０６ｍ）２＝９．８×Ａ  Ｊｍです。
この事から、地球と物体の場合、磁気の光子でできる引力の単位は（１０−３９Ｊｍ）２＝１０−７８Ｊｍであることが理解できる。
６．  原子の中の引力について。図６
原子の中の引力はどのようにできるか、３つの場合が考えられる。
▲１▼原子の中の電子の−と陽子の＋の異なる電荷によって引力ができると考える場合。
原子の中で、電子のラブは、１．２５×１０−１０ｍの電子の光子の輪を作る。陽子のラブは、０．６２５×１０−１３ｍの電子の光子の輪を作る。陽子のラブが作った電気の光子の輪は軌道を拡大する。
２０００分の１のエネルギーの場にきたら、軌道は２０００倍になる。０．６２５×１０−１３ｍ×２０００＝１．２５×１０−１０ｍに成る。電子のラブが作った電気の光子と同じ大きさになり、結合し、引力になる。
電子のラブが作る電気の光子の輪の軌道エネルギーは、１０−３９Ｊｍです。
陽子のラブが作る電気の光子の輪の軌道エネルギーは、０．６２５×１０−１３ｍ×８×１０−３０Ｊ＝５×１０−４３Ｊｍです。
この引力の単位は、１０−３９Ｊｍ×５×１０−４３Ｊｍ＝５×１０−８２Ｊｍです。
１秒間にできる電気の光子の輪の数は、（１０１６個）２＝１０３２個ですから、
原子の中の、陽子と電子が１秒間に作る電気の光子の引力は、５×１０−８２Ｊｍ×１０３２個＝５×１０−５０Ｊｍです。
▲２▼原子の中の引力が磁気の光子によってできると考える場合。
原子の中では、電子が作る磁気の光子と、陽子が作る磁気の光子が、衝突する。磁気の光子の回転は同じ方向に回転している。
しかし、進む方向が反対方向なので、磁気の光子は回転しながら、かみ合いながら進む。
この磁気の光子の結合力が引力です。
電子のラブは１秒間に１０２４回自転し、１０２４個の磁気の光子を作る。そのエネルギーは８×１０−１４Ｊです。１個の磁気の光子のエネルギーは８×１０−３８Ｊです。１個の磁気の光子の軌道は１．２５×１０−１８ｍです。
陽子のラブは１秒間に１０２４回自転し、１０２４個の磁気の光子を作る。そのエネルギーは８×１０−１４Ｊです。１個の磁気の光子のエネルギーは８×１０−３８Ｊです。１個の磁気の光子の軌道は１．２５×１０−１８ｍ÷２０００＝０．６２５×１０−２１ｍです。
この陽子のラブから放出した磁気の光子と、電子のラブから放出した磁気の光子が衝突すると、電子のラブが作った磁気の光子の軌道の中を、陽子のラブが作った磁気の光子が進みます。電子のラブが作った磁気の光子の１．２５×１０−１８ｍのコイルの中を、陽子のラブが作った磁気の光子が０．６２５×１０−２１ｍのコイルで進みます。
この結合力で引力ができます。
電子のラブが作る磁気の光子１個の軌道エネルギーは、１．２５×１０−１８ｍ×８×１０−３８Ｊ＝１０−５５Ｊｍです。
陽子のラブが作る磁気の光子１個の軌道エネルギーは、０．６２５×１０−２１ｍ×８×１０−３８Ｊ＝５×１０−５９Ｊｍです。
電子のラブでできる磁気の光子１個と、陽子のラブでできる磁気の光子１個でできる引力は、１０−５５Ｊｍ×５×１０−５９Ｊｍ＝５×１０−１１４Ｊｍです。
電子のラブと陽子のラブは１秒間に１０２４個の磁気の光子を作りますから、１秒間にできる磁気の光子の数は、（１０２４個）２＝１０４８個です。
それで、１秒間にできる引力は、５×１０−１１４Ｊｍ×１０４８個＝５×１０６６Ｊｍです。
▲３▼原子の中の引力が電気の光子によってできると考える場合。
電子のラブが作る電気の光子の軌道は１．２５×１０−１０ｍで、１個の電気の光子のエネルギーは８×１０−３０Ｊですから、１個の電気の光子の軌道エネルギーは、１．２５×１０−１０ｍ×８×１０−３０Ｊ＝１０−３９Ｊｍです。
陽子のラブが作る電気の光子の軌道は１．２５×１０−１０ｍ÷２０００＝０．６２５×１０−１３ｍで、１個の電気の光子のエネルギーは８×１０−３０Ｊですから、１個の電気の光子の軌道エネルギーは、０．６２５×１０−１３ｍ×８×１０−３０Ｊ＝５×１０−４３Ｊｍです。
電子のラブが作る電気の光子１個と陽子のラブが作る電気の光子１個でできる引力は、１０３９Ｊｍ×５×１０−４３Ｊｍ＝５×１０−８２Ｊｍです。
１秒間にできる電気の光子の輪の数は、（１０１６個）２＝１０３２個の輪です。
それで、１秒間にできる引力は、５×１０−８２Ｊｍ×１０３２個の輪＝５×１０−５０Ｊｍです。
７．  ＦｅがＣｏやＮｉを引くメカニズムについて。図７
金属元素の１番外殻の軌道は、１番波長の長い特性Ｘ線によって知る事ができる。
ＡｌはＫ系で、０．８３３９×１０−９ｍです。Ａｌの最外殻はＭ５ｐですからもっと大きい。
ＦｅはＬ系αで、１．７６０２×１０−９ｍです。Ｆｅの最外殻はＮ４ｓですからもっと大きい。
ＣｏはＬ系αで、１．６×１０−９ｍです。Ｃｏの最外殻はＮ４ｓですからもっと大きい。
ＮｉはＬ系αで、１．４５９５×１０−９ｍです。Ｎｉの最外殻はＮ４ｓですからもっと大きい。
ＡｕはＭ系αで、０．５８４×１０−９ｍです。Ａｕの最外殻はＯ６ｓですからもっと大きい。
Ｆｅは、Ｍ系の電子のラブがＬ系に移動する時、１．７６０２×１０−９ｍの波長の電気の光子を放出する。
それで、Ｆｅの殻から放出する電気の光子の波長を、１．７６０２×１０−９ｍとする。
Ｃｏの殻から放出する電子のラブの波長を、１．６×１０−９ｍとする。
Ｎｉの殻から放出する電子のラブの波長を、１．４５９５×１０−９ｍとする。
Ａｌの殻から放出する電子のラブの波長を、０．８３３９×１０−９ｍとする。
Ａｕの殻から放出する電子のラブの波長を、０．５８４×１０−９ｍとする。
Ｆｅの殻から放出する電子のラブの波長を、１．７６０２×１０−９ｍとすると、磁気の光子の軌道は、１．７６０２×１０−９ｍ÷１０８＝１．７６０２×１０−１７ｍです。この磁気の光子が１０８個で、１．７６０２×１０−９ｍの輪になります。１電子から、１秒間に、この磁気の光子の輪が１０１６個コイルになり放出します。
Ｃｏの殻から放出する電子のラブの波長を、１．６×１０−９ｍとすると、磁気の光子の軌道は、１．６×１０−９ｍ÷１０８＝１．６×１０−１７ｍです。この磁気の光子が１０８個で、１．６×１０−９ｍの輪になります。１電子から、１秒間に、この磁気の光子の輪が１０１６個コイルになり放出します。
Ｎｉの殻から放出する電子のラブの波長を、１．４５９５×１０−９ｍとすると、磁気の光子の軌道は、１．４５９５×１０−９ｍ÷１０８＝１．４５９５×１０−１７ｍです。この磁気の光子が１０８個で、１．４５９５×１０−９ｍの輪になります。１電子から、１秒間に、この磁気の光子の輪が１０１６個コイルになり放出します。
Ｆｅの金属と、Ｃｏの金属があります。
Ｆｅの金属から１．７６０２×１０−１７ｍの磁気の光子が１０８個で、１．７６０２×１０−９ｍの輪になっているコイルが回転しながら進みます。
Ｃｏの金属から１．６×１０−１７ｍの磁気の光子が１０８個で、１．６×１０−９ｍの輪になっているコイルが回転しながら進みます。
これらの磁気の光子が衝突すると、コイルの大きさがほぼ同じであるから、コイルはかみ合いながら２重コイルになって、反対方向に進みます。この結合力が引力になります。
Ｆｅの金属と、Ｎｉの金属があります。
Ｆｅの金属から１．７６０２×１０−１７ｍの磁気の光子が１０８個で、１．７６０２×１０−９ｍの輪になっているコイルが回転しながら進みます。
Ｎｉの金属から１．４５９５×１０−１７ｍの磁気の光子が１０８個で、１．４５９５×１０−９ｍの輪になっているコイルが回転しながら進みます。
これらの磁気の光子が衝突すると、コイルの大きさがほぼ同じであるから、コイルはかみ合いながら２重コイルになって、反対方向に進みます。この結合力が引力になります。
Ｆｅの金属と、Ａｌの金属と、Ａｕの金属の場合。
Ｆｅの金属から１．７６０２×１０−１７ｍの磁気の光子が１０８個で、１．７６０２×１０−９ｍの輪になっているコイルが回転しながら進みます。
Ａｌの金属から、０．８３３９×１０−１７ｍの磁気の光子が１０８個で、０．８３３９×１０−９ｍの輪に成っているコイルが回転しながら進みます。
Ａｕの金属から、０．５８４×１０−１７ｍの磁気の光子が１０８個で、０．５８４×１０−９ｍの輪に成っているコイルが回転しながら進みます。
この場合、コイルの大きさが異なるので、かみ合わないため、結合せず、結合力はできません。それで、引き合う事はできません。
８．  光電効果について。図８
電磁波は波であり、粒子である。この事は、電気の光子に粒子である磁気の光子がくっ付き、波のように進むことを示します。
金属板に強い電磁波を当てると電子が飛び出します。
金属板である金属元素の電子のラブの軌道よりエネルギーの高い電磁波を当てると、電子のラブは飛び出す、と考える。
例えば、Ａｌの電子のラブの軌道を０．８３３９×１０−９ｍとする。（実際は、Ａｌの最外殻はＭ３ｐですからもっと大きい。）
この軌道のエネルギーは、２．０３８２×１０−２０Ｎ×３．１４×軌道＝２．０３８２×１０−２０Ｎ×３．１４×０．８３３９×１０−９ｍ＝５．３３７×１０−２９Ｊです。（電子のラブの軌道エネルギーは、２．０３８２×１０−２０Ｎ×３．１４×１．２５×１０−１０ｍ＝８×１０−３０Ｊｍで、ラブのエネルギーを求める式は、２．０３８２×１０−２０Ｎ×３．１４×軌道です。）
これ以上のエネルギーの磁気の光子を照射すると、電子のラブは放出する。
電子のラブを放出するのは粒子である磁気の光子です。
電子のラブを放出するためには、電子のラブのエネルギーより大きな磁気の光子の輪のエネルギーを照射したらよい。
１つの輪である１０８個の磁気の光子のエネルギー＝１波長である電気の光子のエネルギー
１つの輪である１０８個の磁気の光子の軌道＝１波長である電気の光子の軌道
１つの輪である１０８個の磁気の光子の軌道×エネルギー＝１波長である電気の光子の軌道×エネルギー
照射する磁気の光子の輪のエネルギー＝１つの輪である１０８個の磁気の光子のエネルギー＝１波長である電気の光子のエネルギー＝７．６４３×１０−３８Ｊｍ÷波長
照射する電磁気の波長をｘｍとする。
照射する磁気の光子の輪のエネルギー＞電子のラブの軌道のエネルギー
７．６４３×１０−３８Ｊｍ÷波長＞２．０３８２×１０−２０Ｎ×３．１４×電子のラブの軌道
７．６４３×１０−３８Ｊｍ÷ｘｍ＞２．０３８２×１０−２０Ｎ×３．１４×電子のラブの軌道
ｘｍ＜７．６４３×１０−３８Ｊｍ÷（２．０３８２×１０−２０Ｎ×３．１４×電子のラブの軌道）
ｘｍ＜１．１９４×１０−１８ｍ２÷電子のラブの軌道
この式から、
電子のラブの軌道が、１０−９ｍの場合、照射する電磁波の波長は１．１９４×１０−９ｍより小さいと、電子のラブは放出する。
電子のラブの軌道が、１０−１０ｍの場合、照射する電磁波の波長は１．１９４×１０−８ｍより小さいと、電子のラブは放出する。
電子のラブの軌道が、１０−１１ｍの場合、照射する電磁波の波長は１．１９４×１０−７ｍより小さいと、電子のラブは放出する。
電子のラブの軌道が、１０−１２ｍの場合、照射する電磁波の波長は１．１９４×１０−６ｍより小さいと、電子のラブは放出する。
この事から、照射する電磁波によって、電子のラブの軌道が解る。
９．  磁気の光子１個の質量はいくらか。電気の光子１個の質量はいくらか。電子のラブの質量は電気の光子の質量の何倍か。電子のラブの質量は磁気の光子の質量の何倍か。
▲１▼磁気の光子１個の質量はいくらか。電気の光子１個の質量はいくらか。
１Ｋｇ＝８．９８７５５×１０１６Ｊです。１Ｊ＝１．１１２６５×１０−１７Ｋｇです。
電気の光子１個は、８×１０−３０Ｊですから、電気の光子１個の質量は、８×１０−３０Ｊ×１．１１２６５×１０−１７Ｋｇ＝８．９×１０−４７Ｋｇです。
磁気の光子１個は、８×１０−３８Ｊですから、磁気の光子１個の質量は、８×１０−３８Ｊ×１．１１２６５×１０−１７Ｋｇ＝８．９×１０−５５Ｋｇです。
▲２▼電子のラブの質量は電気の光子の質量の何倍か。電子のラブの質量は磁気の光子の質量の何倍か。
電子のラブの質量は、８×１０−１４Ｊ×１．１１２６５×１０−１７Ｋｇ＝９．１０９５×１０−３１Ｋｇですから、電子のラブの質量は電気の光子の質量の、９．１０９５×１０−３１Ｋｇ÷（８．９×１０−４７Ｋｇ）＝１．０２３５×１０１６倍です。
電子のラブの質量は磁気の光子の質量の、９．１０９５×１０−３１Ｋｇ÷（８．９×１０−５５Ｋｇ）＝１．０２３５×１０２４倍です。
１０．  １Ｖはいくらか。１Ｗはいくらか。
１Ｊ＝１ｃ×１Ｖｏ  １ｃ＝１．２７６×１０−３Ｊｍ
１Ｖ＝１Ｊ÷１ｃ＝１Ｊ÷（１．２７６×１０−３Ｊｍ）＝７．８３７×１０２／ｍ
１Ｗ＝１Ａ×１Ｖ      １Ａ＝１．３５×１０５Ｊですから、
１Ｗ＝１．３５×１０５Ｊ×７．８３７×１０２／ｍ＝１．０５×１０８Ｊ／ｍ＝１．０５×１０８Ｎ
１Ｗ＝１Ａ×１Ｖ      １Ａの１秒間の電気の光子の軌道エネルギーは＝１．２７６×１０−３Ｊｍですから、
１Ｗ＝１．２７６×１０−３Ｊｍ×７．８３７×１０２／ｍ＝１．０００００１２Ｊ
１Ｗ＝１Ｊ／ｓです。
これで、２００６年３月８日に提出した値が正しいと理解できた。
１１．  電磁気の電気の光子の１波長のエネルギーはいくらか。１秒間にできる電気の光子のエネルギーはいくらか。電気の光子のＷはいくらか。電磁気の１波長の磁気の光子のエネルギーはいくらか。１秒間にできる磁気の光子のエネルギーはいくらか。磁気の光子のＷはいくらか。
電磁気の電気の光子の場合。
電磁気の１波長＝電気の光子の１波長
電気の光子の波長×１波長の電気の光子のエネルギー＝７．６４３×１０−３８Ｊｍ
１波長の電気の光子のエネルギーは、７．６４３×１０−３８Ｊｍ÷波長  です。
１秒間にできる電気の光子のエネルギーは、振動数×１波長の電気の光子のエネルギー＝３×１０８ｍ÷波長×７．６４３×１０−３８Ｊｍ＝２．２９２９×１０−２９÷波長（Ｊ）です。
１Ｗ＝１Ｊ／ｓですから、電気の光子のＷは、１秒間にできる電気の光子のエネルギーです。それで、
１秒間にできる電気の光子のＷは、振動数×１波長のエネルギー＝３×１０８ｍ÷波長×７．６４３×１０−３８Ｊｍ＝２．２９２９×１０−２９÷波長（Ｗ）です。
電磁気の磁気の光子の場合。
電磁気の１波長は磁気の光子の軌道の１０８倍で、電気の光子の１波長と同じです。
電磁気の１波長＝１０８×磁気の光子の軌道
電磁気の１波長には、１０８個の磁気の光子の輪がありますから、電磁気の１波長の磁気の光子の軌道エネルギーは、７．６４３×１０−５４Ｊｍ×１０８×１０８個＝７．６４３×１０−３８Ｊｍです。
電磁気の１波長×電磁気の１波長の磁気の光子のエネルギー＝７．６４３×１０−３８Ｊｍ
電磁気の１波長の磁気の光子のエネルギー＝７．６４３×１０−３８Ｊｍ÷波長
１秒間にできる磁気の光子のエネルギーは、振動数×１波長の磁気の光子のエネルギー＝３×１０８ｍ÷波長×７．６４３×１０−３８Ｊｍ＝２．２９２９×１０−２９÷波長（Ｊ）です。
１Ｗ＝１Ｊ／ｓですから、磁気の光子のＷは、１秒間にできる磁気の光子のエネルギーです。それで、
１秒間にできる磁気の光子のＷは、振動数×１波長のエネルギー＝３×１０８ｍ÷波長×７．６４３×１０−３８Ｊｍ＝２．２９２９×１０−２９÷波長（Ｗ）です。
唯に、
１電磁波の電気の光子のエネルギーと磁気の光子のエネルギーは等しい。
１電磁波の波長は、電気の光子の波長であり、磁気の光子の波長の１０８倍です。
１電磁波の磁気の光子の軌道エネルギーは磁気の光子１個の軌道エネルギーの１０１６倍であり、７．６４３×１０−５４Ｊｍ×１０１６＝７．６４３×１０−３８Ｊｍです。
１電磁波の電気の光子の軌道エネルギーと磁気の光子の軌道エネルギーは等しい。
例えば、可視光は約１０−７ｍですから、
光子の力は、２．６６７×１０−２２Ｎです。
電磁気の１波長の電気の光子のエネルギーは、７．６４３×１０−３８Ｊｍ÷波長＝７．６４３×１０−３８Ｊｍ÷１０−７ｍ＝７．６４３×１０−３１Ｊです。
電磁気の１秒間にできる電気の光子のエネルギー＝電気の光子のＷ数＝２．２９２９×１０−２９÷１０−７＝２．２９２９×１０−２２（Ｊ又はＷ）です。
電磁気の１波長の磁気の光子のエネルギーは、７．６４３×１０−３８Ｊｍ÷波長＝７．６４３×１０−３８Ｊｍ÷１０−７ｍ＝７．６４３×１０−３１Ｊです。
電磁気の１秒間にできる磁気の光子のエネルギー＝磁気の光子のＷ数＝２．２９２９×１０−２９÷波長＝２．２９２９×１０−２９÷１０−７＝２．２９２９×１０−２２（Ｊ又はＷ）です。
【発明の効果】
【０００６】この発明により、次の事が理解できた。
１．ＦｅがＣｏやＮｉを引くことから、同じ軌道の磁気の光子の輪と輪がかみ合うことにより、引力ができる。
２．１Ａと１Ａの引力を作る磁気の光子の輪の軌道エネルギーは、７．６４３×１０−４６Ｊｍで、かみ合うことによって、（７．６４３×１０−４６Ｊｍ）２＝５．８４２×１０−９１Ｊｍの引力ができる。
この事から、電流の場合、磁気の光子でできる引力の単位は、（７．６４３×１０−４６Ｊｍ）２＝５．８４２×１０−９１Ｊｍである。
３．１クーロンと１クーロンの引力を作る電気の光子の輪の軌道エネルギーは、７．６４３×１０３８Ｊｍで、かみ合う事によって、（７．６４３×１０−３８Ｊｍ）２＝５．８４２×１０−７５Ｊｍの引力ができる。
このことから、異なる電荷の場合、電気の光子でできる引力の単位は、（７．６４３×１０−３８Ｊｍ）２＝５．８４２×１０−７５Ｊｍである。
４．物体と物体との引力は、磁気の光子の輪の軌道エネルギーは１０−４７Ｊｍであり、これがかみ合う事によって、（１０−４７Ｊｍ）２＝１０−９４Ｊｍの引力ができる。
このことから、物体と物体の場合、磁気の光子でできる引力の単位は、（１０−４７Ｊｍ）２＝１０−９４Ｊｍである。
５．地球の磁気の光子の輪は上昇コイルになり、物体の磁気の光子の輪は下降コイルになる。これらがかみ合って、引力を作る。１本のコイルが１０８個の輪であるとすると、コイルとコイルがかみ合って、（１０−３９Ｊｍ）２＝１０−７８Ｊｍの引力ができる。
この事によって、地球と物体の場合、引力を作る１本のコイルが１０８個の輪であり、磁気の光子でできる引力の単位は、（１０−３９Ｊｍ）２＝１０−７８Ｊｍである。
６．原子の中で、電子のラブが作った磁気の光子の１．２５×１０−１８ｍのコイルの中を、陽子のラブが作った磁気の光子が０．６２５×１０−２１ｍのコイルで進みます。この結合力で引力ができます。
７．ＦｅがＣｏとＮｉを引くメカニズムは、磁気の光子の輪の大きさがほぼ同じであるから、かみ合う事ができる。それで引力ができると確信した。
８．光電効果について。電子のラブの軌道と、それを飛び出させるために、どれ位の波長の電磁気（磁気の光子の輪）を照射したらよいかを理解できた。
照射する電磁波の波長によって、電子のラブの軌道が解る。
９．１Ｖと１Ｗを２００６年３月８日提出した特許願によって検討できた。
１０．電磁波の１波長の電気の光子のエネルギーと、磁気の光子のエネルギーは、７．６４３×１０−３８Ｊｍ÷波長で、等しい。
１電磁波の電気の光子の軌道エネルギーと磁気の光子の軌道エネルギーは、７．６４３×１０−３８Ｊｍで、等しい。
電磁波において、１秒間にできる電気の光子のエネルギーと１秒間にできる磁気の光子のエネルギーは、２．２９２９×１０−２９÷波長（Ｊ又はＷ）で、等しい。
【図面の簡単な説明】
【図１】磁気の光子は１０８個で１つの輪になっている。磁気の光子の輪はコイル状に回転しながら進む。磁気の光子の回転方向は同じである。これらの磁気の光子は反対方向から進んでくるので、衝突すると、軌道が同じで、進む方向が反対なので、かみ合って進む。磁気の光子はコイル状に進むので、２重コイルのように重なり合って、反対方向に進む。かみ合って進む事により結合力ができる。この結合力が引力です。
【図２】１Ａと１Ａの場合。１つの輪の磁気の光子と１つの輪の磁気の光子がかみ合って結合するので、この結合の軌道  エネルギーは、（７．６４３×１０−４６Ｊｍ）２＝５．８４１５×１０−９１Ｊｍです。これが電流でできる磁気の光子の引力の単位です。１Ａと１Ａ、１秒間にできる結合エネルギーは、（１．６７７×１０３４個の輪）２×（７．６４３×１０−４６Ｊｍ）２＝１．６４３×１０−２２Ｊｍです。
【図３】１クーロンと１クーロンの場合。１クーロンと１クーロンでは、電気の光子の輪が重なり合うと、（７．６４３×１０−３８）２Ｊｍ＝５．８４×１０−７５Ｊｍです。これが電流でできる電気の光子の引力の単位です。輪の数は、（１．６７７×１０３４個の輪）２＝２．１８×１０６８個の輪です。それで、結合エネルギーは、５．８４×１０−７５Ｊｍ×２．１８×１０６８個の輪＝１．６４×１０−６Ｊｍです。
【図４】ＡＫｇの物質とＢＫｇの物質の引力は、Ａ×Ｂ×（８．１７×１０４１個の輪）２×（１０−４７Ｊｍ）２＝Ａ×Ｂ×（８．１７×１０４１個の輪×１０−４７Ｊｍ）２＝Ａ×Ｂ×６．６７×１０−１１Ｊｍです。このことから、物体と物体の場合、磁気の光子でできる引力の単位は、（１０−４７Ｊｍ）２＝１０−９４Ｊｍである事が理解できる。
【図５】地球と物質の引力の場合。１０８個を１本の磁気の光子のコイルとします。１電子のラブから、１秒間に１０８本の磁気の光子のコイルができます。１本のコイルと１本のコイルが重なり合うと、その軌道エネルギーは、（１０−３９Ｊｍ）２＝１０−７８Ｊｍです。これが地球と物体でできる磁気の光子の引力の単位です。ＡＫｇの物体から、Ａ×８．１７×１０２５×１０８本＝Ａ×８．１７×１０３３本の磁気の光子のコイルができます。地球から、４．８８×１０５０×１０８本＝４．８８×１０５８本の磁気の光子のコイルができます。このコイルが重なり合うと、その磁気の光子の軌道エネルギーは、１０−７８Ｊｍ×Ａ×４×１０９２本＝Ａ×４×１０１４Ｊｍです。これを、地球の半径の２乗でわると、Ａ×４×１０１４Ｊｍ÷（６．３７８×１０６ｍ）２＝９．８×Ａ  Ｊｍです。
【図６】▲１▼電子のラブが作る電気の光子の輪の軌道エネルギーは、１０−３９Ｊｍです。陽子のラブが作る電気の光子の輪の軌道エネルギーは、５×１０−４３Ｊｍです。この引力の単位は、１０−３９Ｊｍ×５×１０−４３Ｊｍ＝５×１０−８２Ｊｍです。１秒間にできる電気の光子の輪の数は、（１０１６個）２＝１０３２個の輪ですから、原子の中の、陽子と電子が１秒間に作る電気の光子の引力は、５×１０−８２Ｊｍ×１０３２個＝５×１０−５０Ｊｍです。▲２▼電子のラブでできる磁気の光子１個と、陽子のラブでできる磁気の光子１個でできる引力は、１０−５５Ｊｍ×５×１０−５９Ｊｍ＝５×１０−１１４Ｊｍです。電子のラブと陽子のラブは１秒間に１０２４個の磁気の光子を作りますから、１秒間にできる磁気の光子の数は、（１０２４個）２＝１０４８個です。それで、１秒間にできる引力は、５×１０−１１４Ｊｍ×１０４８個＝５×１０−６６Ｊｍです。▲３▼電子のラブが作る電気の光子１個と陽子のラブが作る電気の光子１個でできる引力は、１０−３９Ｊｍ×５×１０−４３Ｊｍ＝５×１０−８２Ｊｍです。１秒間にできる電気の光子の輪の数は、（１０１６個）２＝１０３２個の輪です。それで、１秒間にできる引力は、５×１０−８２Ｊｍ×１０３２個の輪＝５×１０−５０Ｊｍです。
【図７】Ｆｅの金属と、Ｃｏの金属があります。Ｆｅの金属から１．７６０２×１０−１７ｍの磁気の光子が１０８個で、１．７６０２×１０−９ｍの輪になっているコイルが回転しながら進みます。Ｃｏの金属から１．６×１０−１７ｍの磁気の光子が１０８個で、１．６×１０−９ｍの輪になっているコイルが回転しながら進みます。これらの磁気の光子が衝突すると、コイルの大きさがほぼ同じであるから、コイルはかみ合いながら２重コイルになって、反対方向に進みます。この結合力が引力になります。
【図８】照射する電磁気の波長をｘｍとする。照射する磁気の光子の輪のエネルギー＞電子のラブの軌道のエネルギーｘｍ＜１．１９４×１０−１８ｍ２÷電子のラブの軌道
【図９】１電磁波の電気の光子の軌道エネルギーと磁気の光子の軌道エネルギーは、７．６４３×１０−３８Ｊｍで、等しい。
【符号の説明】
【０００７】１  １個の磁気の光子
２  磁気の光子が１０８個でできる磁気の光子の輪
３  磁気の光子のコイル
４  １Ａの導線
５  電流と電流でできる磁気の光子の輪のコイル
６  １クーロン
７  １クーロンと１クーロンでできる電気の光子の輪のコイル
８  物体
９  物体でできる磁気の光子の輪のコイル
１０  地球でできる磁気の光子の輪のコイル
１１  １０８個の磁気の光子の輪である１本のコイル
１２  電子のラブ
１３  陽子のラブ
１４  電子のラブが作った電気の光子の輪
１５  陽子のラブが作った電気の光子の輪
１６  電子のラブが作った磁気の光子
１７  陽子のラブが作った磁気の光子
１８  Ｆｅの電子のラブ
１９  Ｆｅの磁気の光子の輪
２０  Ｆｅの磁気の光子
２１  Ｃｏの電子のラブ
２２  Ｃｏの磁気の光子の輪
２３  Ｃｏの磁気の光子
２４  金属板
２５  ｘｍの電磁波
２６  電子
２７  電磁波の１波長
【図１】
2006211898.tif 000003
【図２】
2006211898.tif 000004
【図３】
2006211898.tif 000005
【図４】
2006211898.tif 000006
【図５】
2006211898.tif 000007
【図６】
2006211898.tif 000008
【図７】
2006211898.tif 000009
【図８】
2006211898.tif 000010
【図９】
2006211898.tif 000011